(57)【特許請求の範囲】
【請求項１】
湯水をミスト対象空間内にミスト状態で噴出するミストノズルと、湯水供給路を通して供給される湯水を加熱してミスト用温水供給路を通して前記ミストノズルに供給する加熱手段と、前記ミストノズルに供給される湯水を濾過するフィルターとを備えて構成されている浴用ミスト発生装置におけるフィルター洗浄装置であって、
前記ミスト用温水供給路から分岐する状態で湯水を排出自在な排水路が、前記ミストノズルよりも下方側に設けられ、
前記フィルターが、前記ミスト用温水供給路における前記排水路の分岐箇所よりも前記ミストノズル側に位置する状態で設けられ、
前記排水路からの湯水排出を停止して、前記加熱手段にて加熱された湯水を前記ミスト用温水供給路を通して前記ミストノズルに供給する湯水供給状態と、前記加熱手段からの前記ミスト用温水供給路への温水供給を停止して、そのミスト用温水供給路における前記排水路の分岐箇所よりも前記ミストノズルの存在側に位置する先端側供給路部分内の湯水を、前記湯水供給状態における通流方向とは反対方向に前記フィルターを通過させて前記排水路から排出する排出状態とに切り換え自在な流路切換手段が備えられ、
前記流路切換手段の作動を制御する切換制御手段と、この切換制御手段に運転状態の切り換えを指令する指令手段とが備えられ、
前記流路切換手段が、
前記湯水供給路の途中箇所又は前記ミスト用温水供給路における前記排水路の分岐箇所よりも前記加熱手段側の途中箇所に設置されるミスト用通路断続弁と、前記排水路に設置される排水用通路断続弁とを備えて構成され、
前記切換制御手段が、
前記指令手段にてミストサウナ運転が指令されると、前記ミスト用通路断続弁を開弁し且つ前記排水用通路断続弁を閉弁する前記湯水供給状態に切り換えてその状態を維持する温水供給処理を実行し、
前記指令手段にて前記ミストサウナ運転の停止が指令されると、前記ミスト用通路断続弁を閉弁し且つ前記排水用通路断続弁を開弁する前記排水状態に切り換える排水処理を実行するように構成されている浴用ミスト発生装置におけるフィルター洗浄装置。
【請求項２】
前記湯水供給路として水道水を供給する水供給路及び熱源機にて加熱された湯を供給する給湯路が備えられ、
前記流路切換手段が、前記水供給路を断続する水供給路断続弁及び前記給湯路を断続する給湯路断続弁を備えて、水道水を前記加熱手段に供給する状態と前記熱源機にて加熱された湯を前記加熱手段に供給する状態とに切り換え自在に構成されている請求項１記載の浴用ミスト発生装置におけるフィルター洗浄装置。
【発明の詳細な説明】
【技術分野】
【０００１】
本発明は、湯水をミスト対象空間内にミスト状態で噴出するミストノズルと、湯水供給路を通して供給される湯水を加熱してミスト用温水供給路を通して前記ミストノズルに供給する加熱手段と、前記ミストノズルに供給される湯水を濾過するフィルターとを備えて構成されている浴用ミスト発生装置におけるフィルター洗浄装置に関する。
【背景技術】
【０００２】
かかる浴用ミスト装置は、例えば浴室等のミスト対象空間の天井等に設置される前記ミストノズルから加熱された湯水をミスト状に噴出させることで、ミスト対象空間内でミストサウナ浴を行えるようにしたものであるが、このような浴用ミスト装置において、従来では、前記湯水供給路における湯水入口部分に前記フィルターが備えられる構成となっていた（例えば、特許文献１参照。）。
【先行技術文献】
【特許文献】
【０００３】
【特許文献１】特開２００７−６９３３号公報
【発明の概要】
【発明が解決しようとする課題】
【０００４】
上記浴用ミスト装置は、前記ミストノズルに供給される湯水に含まれる塵埃がミストノズルに形成された小径の湯水噴出孔を塞いでその湯水噴出孔が早期に目詰りしないように前記フィルターを設けて濾過するようにしたものであるが、上記従来構成では、前記温水供給ユニットにおける前記湯水供給路に前記フィルターが備えられるので、所定の使用期間が経過する毎に定期的にフィルターを取り外して塵埃を取り除く等のメンテナンス作業が必要である。すなわち、浴用ミスト装置の使用に伴って湯水がフィルターによって濾過されるので、湯水に含まれる塵埃がフィルターにおける湯水通流方向上手側に堆積することになる。そして、例えば使用時間が設定時間に達する毎に、湯水供給路に備えられているフィルターを手作業により取り外してフィルターに付着堆積する塵埃を取り除く必要があり、使用者にとって煩わしいものとなる不利があった。
【０００５】
本発明の目的は、フィルターに付着堆積する塵埃を煩わしさのない状態で取り除くことが可能な浴用ミスト発生装置におけるフィルター洗浄装置を提供する点にある。
【課題を解決するための手段】
【０００６】
本発明に係る浴用ミスト発生装置におけるフィルター洗浄装置は、湯水をミスト対象空間内にミスト状態で噴出するミストノズルと、湯水供給路を通して供給される湯水を加熱してミスト用温水供給路を通して前記ミストノズルに供給する加熱手段と、前記ミストノズルに供給される湯水を濾過するフィルターとを備えて構成されているものであって、
その第１特徴構成は、前記ミスト用温水供給路から分岐する状態で湯水を排出自在な排水路が、前記ミストノズルよりも下方側に設けられ、
前記フィルターが、前記ミスト用温水供給路における前記排水路の分岐箇所よりも前記ミストノズル側に位置する状態で設けられ、
前記排水路からの湯水排出を停止して、前記加熱手段にて加熱された湯水を前記ミスト用温水供給路を通して前記ミストノズルに供給する湯水供給状態と、前記加熱手段からの前記ミスト用温水供給路への温水供給を停止して、そのミスト用温水供給路における前記排水路の分岐箇所よりも前記ミストノズルの存在側に位置する先端側供給路部分内の湯水を、前記湯水供給状態における通流方向とは反対方向に前記フィルターを通過させて前記排水路から排出する排出状態とに切り換え自在な流路切換手段が備えられ、
前記流路切換手段の作動を制御する切換制御手段と、この切換制御手段に運転状態の切り換えを指令する指令手段とが備えられ、
前記流路切換手段が、
前記湯水供給路の途中箇所又は前記ミスト用温水供給路における前記排水路の分岐箇所よりも前記加熱手段側の途中箇所に設置されるミスト用通路断続弁と、前記排水路に設置される排水用通路断続弁とを備えて構成され、
前記切換制御手段が、
前記指令手段にてミストサウナ運転が指令されると、前記ミスト用通路断続弁を開弁し且つ前記排水用通路断続弁を閉弁する前記湯水供給状態に切り換えてその状態を維持する温水供給処理を実行し、
前記指令手段にて前記ミストサウナ運転の停止が指令されると、前記ミスト用通路断続弁を閉弁し且つ前記排水用通路断続弁を開弁する前記排水状態に切り換える排水処理を実行するように構成されている点にある。
【０００７】
第１特徴構成によれば、前記流路切換手段が前記湯水供給状態に切り換えられると、湯水供給路を通して供給される湯水が前記加熱手段にて加熱されて前記ミスト用温水供給路を通して前記ミストノズルに供給され、ミストノズルから湯水がミスト対象空間内にミスト状態で噴出される。そのとき、前記ミスト用温水供給路における前記排水路の分岐箇所よりも前記ミストノズル側に位置する状態で設けられたフィルターを通過することにより、ミストノズルに供給される湯水がフィルターによって濾過され、塵埃の少ない湯水がミストノズルから噴出してスト対象空間内でミストサウナ浴を行うことができる。
【０００８】
そして、前記ミスト用温水供給路における排水路の分岐箇所よりもミストノズルの存在側に位置する先端側供給路部分に湯水が残っているときに、前記流路切換手段が前記排出状態に切り換えられると、加熱手段からの前記ミスト用温水供給路への温水供給を停止して、ミスト用温水供給路における排水路の分岐箇所よりもミストノズルの存在側に位置する先端側供給路部分内の湯水が排水路から排出される。このとき、ミストノズルの存在側に位置する先端側供給路部分内の湯水は、前記湯水供給状態における湯水通流方向とは逆方向にフィルターを通過して排水路から排出される。
【０００９】
その結果、前記湯水供給状態において湯水が通流するときにフィルターの通流方向上手側に付着堆積した塵埃が、前記先端側供給路部分内の湯水が逆方向に通流するときに除去されて湯水と共に排水される。このように前記流路切換手段を排水状態に切り換えるだけでフィルターに付着堆積した塵埃を除去することができる。
【００１０】
従って、フィルターを取り外して清掃する等の煩わしい作業は不要となって、フィルターに付着堆積する塵埃を煩わしさのない状態で取り除くことが可能な浴用ミスト発生装置におけるフィルター洗浄装置を提供できるに至った。
【００１２】
また、第１特徴構成によれば、前記指令手段にてミストサウナ運転が指令されると、前記切換制御手段が、前記ミスト用通路断続弁を開弁し且つ前記排水用通路断続弁を閉弁する前記湯水供給状態に切り換えてその状態を維持する温水供給処理を実行する。この温水供給処理を実行することで、加熱手段にて加熱された湯水がミストノズルに供給されて、ミストノズルから噴出してミスト対象空間内でミストサウナ浴を行うことができる。
【００１３】
そして、前記指令手段にて前記ミストサウナ運転の停止が指令されると、前記切換制御手段が、前記ミスト用通路断続弁を閉弁し且つ前記排水用通路断続弁を開弁する前記排水状態に切り換える排水処理を実行する。つまり、前記ミスト用通路断続弁を閉弁することによって加熱手段からの前記ミスト用温水供給路への温水供給を停止され、且つ、前記排水用通路断続弁を開弁することで、前記ミスト用温水供給路における排水路の分岐箇所よりもミストノズルの存在側に位置する先端側供給路部分に残っている湯水が、排水路を通過した排出され、そのときフィルターの通流方向上手側に付着堆積した塵埃が除去されて湯水と共に排水される。
【００１４】
従って、第１特徴構成によれば、指令手段にてミストサウナ運転の停止を指令するだけの簡単な操作で、ミスト用温水供給路における前記先端側供給路部分に残っている湯水を利用してフィルターの塵埃の除去をミストサウナ運転が行われる毎に定期的に行うことが可能となる。
【００２７】
本発明の第２特徴構成は、第１特徴構成に加えて、前記湯水供給路として水道水を供給する水供給路及び熱源機にて加熱された湯を供給する給湯路が備えられ、
前記流路切換手段が、前記水供給路を断続する水供給路断続弁及び前記給湯路を断続する給湯路断続弁を備えて、水道水を前記加熱手段に供給する状態と前記熱源機にて加熱された湯を前記加熱手段に供給する状態とに切り換え自在に構成されている点にある。
【００２８】
第２特徴構成によれば、前記水供給路断続弁を開弁し前記給湯路を閉弁すると、前記水供給路を通して供給される水道水を加熱手段にて加熱してミストノズルに供給したり、洗浄用の水として利用することができる。又、前記水供給路断続弁を開弁し前記給湯路を閉弁すると、前記給湯路を通して供給される熱源機にて加熱された湯を加熱手段にて加熱してミストノズルに供給したり、洗浄用の水として利用することができる。
【００２９】
例えば、外気温度が低く水温が低いときに熱源機にて加熱された湯を用いることで適切にミストサウナ運転を行うことができ、又、前記洗浄運転を行う場合であれば、熱源機にて加熱された湯を加熱手段にて加熱して高温となった湯を用いることで、フィルターや給湯用湯路の内部を殺菌処理することが可能となる。
【図面の簡単な説明】
【００３０】
【図１】浴用ミスト装置の全体構成図
【図２】熱源機の構成図
【図３】ミストユニットの構成図
【図４】ミストユニットの動作を示す説明図
【図５】ミストユニットの動作を示す説明図
【図６】ミストユニットの動作を示す説明図
【図７】ミストユニットの動作を示す説明図
【図８】制御動作のフローチャート
【図９】別実施形態のミストユニットの構成図
【図１０】別実施形態のミストユニットの構成図
【発明を実施するための形態】
【００３１】
以下、本発明に係る浴用ミスト発生装置におけるフィルター洗浄装置の実施形態を図面に基づいて説明する。
この浴用ミスト装置は、湯水をミスト対象空間としての浴室１内にミスト状態で噴出させるミストノズル２を浴室１内に臨む状態で備えた室内ユニット３、湯水供給路４を通して供給される湯水を加熱してミスト用温水供給路５を通して前記ミストノズル２に供給するミストユニット６、前記室内ユニット３及び前記ミストユニット６に熱媒を循環供給するとともに給湯用の温水を供給する熱源機７、及び、各種の運転の開始及び停止を指令する手動操作式のリモコン操作部Ｒ等を備えて構成され、浴室１内に温水をミスト状態で噴出させるミストサウナ運転、浴室１内を暖房する暖房運転、浴室１を換気する換気運転等を実行するように構成されている。
【００３２】
前記室内ユニット３は、浴室１の天井裏に入り込ませた状態もしくは壁に取り付けた状態で設置され、浴室１内に向けて湯水をミスト状に噴出するミストノズル２と、空気加熱用の加熱手段としての熱交換器１０と、浴室１に臨む状態で設置されたグリル板８における吸気部８Ａを通して浴室１内の空気を吸気し熱交換器１０を経由してグリル板８における可動ルーバー付きの吹き出し部８Ｂから浴室１に吹き出すように通風する通風手段としての循環ファン１１と、浴室１内の空気を図示しない排気路を通して外部に排気して換気を行う換気ファン１２と、前記熱交換器１０への熱媒の循環通流を断続する熱媒用断続弁１３と、各部の運転を制御する室内ユニット制御部Ｈ１とを備えて構成されている。
【００３３】
前記熱源機７は、図２に示すように、熱媒用熱交換器１４及びこの熱媒用熱交換器１４を加熱するバーナ１５等からなる熱媒加熱部１６を備えて構成され、前記熱媒加熱部１６は、外部開放型の膨張タンク１７に貯留される熱媒としての湯水を熱媒用熱交換器１４にて加熱したのちに熱媒循環用の外部配管路１８を通して、室内ユニット３及びミストユニット６に循環させる循環ポンプ１９などが備えられている。
【００３４】
説明を加えると、外部配管路１８の一方の管路１８ａに接続される熱媒戻り路２０が膨張タンク１７の入口側に接続され、外部配管路１８の他方１８ｂの管路に接続される熱媒往き路２１が熱媒用熱交換器１４の出口側に接続され、膨張タンク１７の出口側と熱媒用熱交換器１４の入口側を連通する熱媒連通路２２が設けられ、この熱媒連通路２２の途中箇所に循環ポンプ１９が設けられている。又、前記熱媒往き路２１を流動する熱媒を熱媒戻り路２０にバイパス流動させるバイパス路２３が設けられ、熱媒往き路２１には熱媒の温度を検出する熱媒往きサーミスタ２４が設けられている。
【００３５】
前記熱源機７は、前記熱媒加熱部１６とは別に、バーナ２５と給湯用熱交換器２６等からなる給湯用加熱部２７が備えられ、給水路２８を通して供給される湯水が前記バーナ２５にて加熱される給湯用熱交換器２６により熱交換されて所望の温度の湯水が給湯路２９を通して供給されるように構成されている。又、図１に示すように、給湯路２９から分岐して前記ミストユニット６にも温水を供給することができるように構成されている。
【００３６】
給水路２８には、給水温度を検出する給水サーミスタ３０と給水量を検出する水量センサ３１とが設けられ、又、給湯用熱交換器２６を迂回するように給水バイパス路３２が設けられている。さらに、給湯路２９には、上流側から順に、給湯用熱交換器２６からの湯水の温度を検出する給湯サーミスタ３３と、給水バイパス路３２からの水量を調整するバイパス弁３４と、混合された後の湯水の温度を検出する出湯サーミスタ３５と、湯水の流量を設定量に調整する水量調整弁３６とが設けられている。
【００３７】
前記バーナ１５、２５に燃料ガスを供給する燃料供給路３７には、燃料供給を断続する電磁操作式の断続弁３８、前記各バーナ１５、２５の燃焼量すなわち燃料供給量を変更調節自在な２つの電磁操作式のガス量調節弁３９が備えられ、バーナ１５、２５に燃焼用空気を供給するファン４０も設けられている。尚、図示はしないが、バーナ１５、２５の近くには、バーナ１５、２５に対する点火動作を実行するイグナイタと、バーナ１５、２５が着火されているか否かを検出するフレームロッドとがそれぞれ備えられている。
【００３８】
そして、この熱源機７には、各部の運転を制御する熱源機制御部Ｈ２が備えられ、浴室１を暖房する暖房運転、ミストサウナ浴を行うためのミストサウナ運転等を実行するときは、循環ポンプ１９を循環作動させ、熱媒往きサーミスタ２４にて検出される熱媒の温度が設定目標温度（例えば、８０℃）になるようにバーナ１５の燃焼状態が制御するように構成となっている。
【００３９】
次に、前記ミストユニット６の構成について説明する。
このミストユニット６は、図１に示すように、浴室１の側壁の外側に設置される状態で、室内ユニット３よりも下方側に上下方向に間隔をあけた状態で設けられている。そして、図３に示すように、湯水供給路４１を通して供給される湯水を加熱してミスト用温水供給路５を通して前記ミストノズル２に供給する加熱手段としての液液熱交換器４２、前記ミストノズル２に供給される湯水を濾過するフィルター４３とを備えて構成され、さらに、ミスト用温水供給路５から分岐する状態で湯水を排出自在な排水路４４が設けられ、前記フィルター４３が、ミスト用温水供給路５における排水路４４の分岐箇所よりもミストノズル２側に位置する状態で設けられ、排水路４４からの湯水排出を停止して、液液熱交換器４２にて加熱された湯水をミスト用温水供給路５を通してミストノズル２に供給する湯水供給状態と、液液熱交換器４２からのミスト用温水供給路５への温水供給を停止して、そのミスト用温水供給路５における排水路４４の分岐箇所よりもミストノズル２の存在側に位置する先端側供給路部分内の湯水を排水路４４から排出する排出状態とに切り換え自在な流路切換手段Ｋが備えられている。
【００４０】
前記フィルター４３は、前記ミストノズル２に供給される湯水に含まれる塵埃がミストノズル２に形成された小径の湯水噴出孔を塞いでその湯水噴出孔が早期に目詰りしないように細かな塵埃を受け止めることができるように湯水を濾過する構成となっている。
【００４１】
前記ミスト用温水供給路５における前記排水路４４の分岐箇所よりも流路上手側部分とフィルター４３の設置箇所よりも流路下手側部分とを接続する迂回路４５が設けられ、前記流路切換手段Ｋが、前記湯水供給状態においては、排水路４４からの湯水排出を停止しかつ迂回路４５を通した湯水流動を停止して、液液熱交換器４２にて加熱された湯水をミスト用温水供給路５を通してミストノズル２に供給するようになっており、さらに、液液熱交換器４２からミスト用温水供給路５の始端部に供給される湯水がフィルター４３及び排水路４４に流動するのを停止し、且つ、ミスト用温水供給路５におけるフィルター４３の設置箇所よりも流路下手側部分の湯水がミストノズル２側に流動するのを停止して、液液熱交換器４２からミスト用温水供給路５の始端部に供給される湯水を迂回路４５を通してミスト用温水供給路５に導いて、フィルター４３を通流させた後に排水路４４を通して排出する逆流洗浄状態とに切り換え自在に構成されている。
【００４２】
以下、ミストユニット６の具体的な構成について説明する。
ミストユニット６は、前記湯水供給路４１として水道水を供給する水供給路４１ａ及び熱源機７にて加熱された湯を供給する給湯路４１ｂが備えられ、水道水を液液熱交換器４２に供給する状態と熱源機７にて加熱された湯を液液熱交換器４２に供給する状態とに切り換え自在に構成されている。そして、水供給路４１ａ及び給湯路４１ｂのいずれかより供給される湯水を液液熱交換器４２にて加熱して、ミスト用温水供給路５を通してミストノズル２に供給するように構成され、ミスト用温水供給路５の途中から排水路４４が分岐される構成となっており、この排水路４４には、その排水路４４を断続自在な排水用通路断続弁５１が設けられている。又、ミストノズル２に供給される湯水を濾過するフィルター４３がミスト用温水供給路５における排水路４４との分岐接続箇所よりもミストノズル２側に位置する状態で設けられている。
【００４３】
そして、ミスト用温水供給路５における排水路４４との分岐箇所よりも液液熱交換器４２側の箇所を断続自在な堰止用断続弁４８と、ミスト用温水供給路５における堰止用断続弁４８配設箇所よりも液液熱交換器４２側の箇所及びミスト用温水供給路５におけるフィルター４３配設箇所よりもミストノズル２側箇所の間を迂回する迂回路４５と、その迂回路４５を断続自在な迂回路断続弁４９とを備えて構成されている。
【００４４】
さらに、前記迂回路断続弁４９としてフィルター４３側に位置する第１迂回路断続弁４９ａとフィルター４３とは反対側に位置する第２迂回路断続弁４９ｂとが備えられ、前記ミスト用温水供給路５における迂回路並設領域よりもミストノズル２側箇所を断続するノズル側断続弁５０、迂回路４５における第１迂回路断続弁４９ａ配設箇所と第２迂回路断続弁４９ｂ配設箇所との中間位置と排水路４４における排水用通路断続弁５１よりも排水方向下手側箇所とを連通する排出用連通路５２、及び、その排出用連通路５２を断続する連通路断続弁５３が備えられている。又、ミスト用温水供給路５には、液液熱交換器４２にて加熱された後の湯水の温度を検出する温度センサ５４が備えられている。
尚、図示は省略しているが、ミストユニット６における前記水供給路４１ａ及び前記給湯路４１ｂにおける湯水入口部分には前記フィルター４３よりも目が粗いストレーナが備えられ、上記した複数の断続弁が噛み込んで不具合を発生させるおそれがあるような大きめの塵埃が通過するのを回避させるようにしている。
【００４５】
従って、前記各断続弁、迂回路４５、排出用連通路５２等により前記流路切換手段Ｋが構成されている。又、前記水供給路断続弁４６及び前記給湯路断続弁４７により前記湯水供給路断続弁１００が構成され、前記堰止用断続弁４８が、ミスト用温水供給路における排水路４４の分岐箇所よりも液液熱交換器４２側の途中箇所に設置されるミスト用通路断続弁Ｖ１を構成することになる。
【００４６】
そして、ミストユニット６には、前記流路切換手段Ｋの作動を制御する切換制御手段としてのミストユニット用制御部Ｈ３が備えられ、このミストユニット用制御部Ｈ３、前記熱源機制御部Ｈ２、及び、前記室内ユニット制御部Ｈ１は、有線または無線式の通信手段を介して互いに情報を通信可能に構成されている。又、前記各制御部Ｈ１，Ｈ２，Ｈ３とリモコン操作部Ｒとは無線または有線式の通信手段にて互いに情報を通信可能に構成され、リモコン操作部Ｒの指令情報に応じて熱源機７、室内ユニット３、ミストユニット６の夫々が対応する運転状態になるように制御される構成となっている。
【００４７】
説明を加えると、図１に示すように、リモコン操作部Ｒには、暖房運転の開始及び停止を指令する暖房スイッチ５５、換気運転の開始及び停止を指令する換気スイッチ５６、ミストサウナ運転の開始及び停止を指令するミストサウナスイッチ５７、後述する洗浄運転の開始を指令する洗浄スイッチ５８等が備えられている。
【００４８】
前記リモコン操作部Ｒの暖房スイッチ５５が操作されると、外部配管路１８を通して設定目標温度の熱媒を循環供給するように熱源機制御部Ｈ２が熱源機７の運転状態を制御し、室内ユニット制御部Ｈ１が熱媒用断続弁１３を開弁して循環ファン１２を作動させて、熱交換器１０にて熱媒の熱によって加熱される空気を浴室１に吹き出して浴室を暖房する暖房運転を実行する。又、リモコン操作部Ｒの換気スイッチ５６が操作されると、室内ユニット制御部Ｈ１が換気ファン１２を作動させて浴室を換気する換気運転を実行する。
【００４９】
前記リモコン操作部Ｒのミストサウナスイッチ５７が操作されると、ミストユニット用制御部Ｈ３はミストサウナ運転を実行し、リモコン操作部Ｒの洗浄スイッチ５８が操作されると、ミストユニット用制御部Ｈ３は洗浄運転並びに迂回路洗浄処理を実行するように構成されている。
【００５０】
次に、ミストユニット制御部Ｈ３の具体的な制御動作について以下に説明する。
図４に示すように、リモコン操作部Ｒのミストスイッチ５７によりミストサウナ運転が指令されると、ミストユニット制御部Ｈ３は、熱源機制御部Ｈ２に熱媒の供給を指令する（ステップ１、２）。熱源機制御部Ｈ２は、循環ポンプ１３を循環作動させ、熱媒往きサーミスタ２４にて検出される熱媒の温度が設定目標温度（例えば、８０℃）になるようにバーナ１５の燃焼状態を制御する。その結果、設定目標温度に加熱された熱媒が外部配管路１８を通して液液熱交換器４２に循環供給される。
【００５１】
前記ミストユニット制御部Ｈ３は、熱源機制御部Ｈ２に熱媒の供給を指令したのち、湯温立上げ処理を実行する（ステップ３）。すなわち、温度センサ５４にて検出される液液熱交換器４２により加熱される湯の温度が設定温度未満の場合には、水供給路断続弁４６、堰止用断続弁４８、排水用通路断続弁５１を開弁し、ノズル側断続弁５０、第１迂回路断続弁４９ａ及び第２迂回路断続弁４９ｂを閉弁して、低温の湯水を排水路４４を通して排出させ、液液熱交換器４２により加熱される湯の温度が設定温度以上になるまでその状態を維持する。
【００５２】
そして、液液熱交換器４２により加熱される湯の温度が設定温度以上になると温水供給処理を実行する（ステップ４）。すなわち、水供給路断続弁４６、堰止用断続弁４８及びノズル側断続弁５０を開弁し且つ排水用通路断続弁５１、第１迂回路断続弁４９ａ、第２迂回路断続弁４９ｂを閉弁する温水供給状態に切り換えてその状態を維持する温水供給処理を実行する。この温水供給処理を実行することで、図５に示すように、水供給路４１ａを通して水道圧により供給される水が、水供給路４１ａを介して液液熱交換器４２に供給され、この液液熱交換器４２にて高温の熱媒によって加熱されたのちフィルター４３にて濾過されてミスト用温水供給路５を通してミストノズル２に供給されることになる。
【００５３】
その後、リモコン操作部Ｒのミストサウナスイッチ５７が再度操作されることによりミストサウナ運転の停止が指令されると、熱源機制御部Ｈ２に熱媒の供給停止を指令し、ミスト用温水供給路５内の残湯を排水する排水処理を実行する（ステップ５、６、７）。すなわち、堰止用断続弁４８、第１迂回路断続弁４９ａ、第２迂回路断続弁４９ｂを閉弁し、且つ、排水用通路断続弁５１及びノズル側断続弁５０を開弁する排水状態に切り換える排水処理を実行する。この排水処理を実行することで、ミスト用温水供給路５内部に残っている残湯を排水路４４を通して排水させる。そのとき、図６に示すように、前記ミスト用温水供給路５内の湯水が前記湯水供給状態における通流方向とは反対の方向にフィルター４３を通過して排水路４４から自然落下にて排出され、前記湯水供給状態における通流方向上手側に付着堆積した塵埃が除去されてフィルター４３が洗浄されることになる。ミストサウナ運転の停止が指令されてから残湯の排水に要する経過時間よりも少し長めに設定された第１設定時間が経過すると、全ての断続弁を閉弁して排水処理を終了する（ステップ８、９）。
【００５４】
そして、ミストサウナ運転が指令されていない状態で、リモコン操作部Ｒの洗浄スイッチ５８が操作されると、熱源機制御部Ｈ２に熱媒の供給を指令したのちフィルター洗浄処理を実行する（ステップ１０、１１）。すなわち、給湯給断続弁４７、第１迂回路断続弁４９ａ、第２迂回路断続弁４９ｂ及び排水用通路断続弁５１を開弁し、且つ、水供給路断続弁４６、堰止用断続弁４８、連通路断続弁５３及びノズル側断続弁５０を閉弁する逆流洗浄状態に切り換えて第２設定時間が経過するまでその状態を維持するフィルター洗浄処理を実行する。このフィルター洗浄処理を実行することで、図７に示すように、給湯路４１ｂを通して熱源機７にて加熱されたのちに供給される湯水が、給湯路４１ｂ、迂回路４５、フィルタ４３、排水路４４を順次通過して、ミストサウナ運転における湯水供給状態における通流方向とは反対の方向にフィルター４３を通過して排水路４４から排出させることになり、前記湯水供給状態における通流方向上手側に付着堆積した塵埃が除去されてフィルター４３が洗浄されることになる。しかも、そのとき、熱源機７にて予め加熱された給湯用の湯が液液熱交換器４２にて再度加熱されて高温の湯となるので、この高温の湯によりフィルター４３並びに迂回路４５内部を殺菌処理することができる。
【００５５】
洗浄スイッチ５８が操作されてから前記第２設定時間が経過するとフィルター洗浄処理を終了して迂回路洗浄処理を実行する（ステップ１２、１３）。この迂回路洗浄処理は、給湯路断続弁４７、堰止用断続弁４８、第１迂回路断続弁４９ａ及び連通路断続弁５３を開弁し、且つ、排水用通路断続弁５１及びノズル側断続弁５０を閉弁して、給湯路４１ａａを通して供給される湯水をフィルター４３、迂回路４５、排出用連通路５２及び排水路４４を通して排出させることになる。この迂回路洗浄処理を実行することで、図８に示すように、洗浄運転が行われるときの湯水通流方向上手側、言い換えると、ミストサウナ運転が行われるときの湯水通流方向下手側に付着堆積した塵埃が除去されてフィルターが洗浄され、さらに迂回路４５の内部の洗浄も行われることになる。この迂回路洗浄処理の実行を開始してから第３設定時間が経過すると、全ての断続弁を閉弁して迂回路洗浄処理を終了する（ステップ１４、１５）。
【００５６】
〔別実施形態〕
以下、別実施形態を列記する。
【００５７】
（１）上記実施形態では、前記迂回路断続弁として前記フィルター側に位置する第１迂回路断続弁と前記フィルターとは反対側に位置する第２迂回路断続弁とを備え、且つ、前記迂回路４５における前記第１迂回路断続弁配設箇所と前記第２迂回路断続弁配設箇所との中間位置と前記排水路４４の排水用通路断続弁５１よりも排水方向下手側箇所とを連通する排出用連通路５２、及び、前記排出用連通路５２を断続する連通路断続弁５３を備えて構成されるものを例示したが、このような構成に代えて、図９に示すように、前記迂回路４５に１つの迂回路断続弁４９を備えて、前記排出用連通路５２及び前記連通路断続弁５３を備えない構成としてもよい。この構成では、上記実施形態における迂回路洗浄処理は行えない。
【００５８】
（２）上記実施形態では、前記流路切換手段Ｋが、前記湯水供給路を通して供給される湯水を前記湯水供給状態における通流方向とは反対の方向に前記フィルターを通過させて前記排水路から排出させる逆流洗浄状態に切り換え自在に構成されるものを例示したが、このような構成に代えて、前記加熱手段にて加熱された湯水を前記ミスト用温水供給路を通して前記ミストノズルに供給する湯水供給状態、及び、前記ミスト用温水供給路内の湯水を前記湯水供給状態における通流方向とは反対の方向に前記フィルターを通過して前記排水路から排出する排出状態のみに切り換え自在な構成、すなわち、図１０に示すように、前記実施形態における前記排水用通路断続弁５１、前記ノズル側断続弁５０、前記水供給路断続弁４６、及び、前記給湯路断続弁４７を備え、前記堰止用断続弁４８、前記迂回路４５及び迂回路断続弁４９を備えない構成としてもよい。この構成では、前記水供給路断続弁４６及び前記給湯路断続弁４７が前記湯水供給路の途中箇所に設置されるミスト用通路断続弁Ｖ１を構成することになる。但し、この構成では、上記実施形態におけるフィルター洗浄処理及び迂回路洗浄処理は行えない。
【００６０】
（３）上記実施形態では、前記ミストサウナ運転においては前記水供給路から供給される水道水を加熱手段にて加熱してミストノズルに供給する構成としたが、前記ミストサウナ運転においても前記給湯路から供給される温水を加熱手段にて加熱してミストノズルに供給するようにしてよく、前記水供給路から供給される水道水と前記給湯路から供給される温水を混合させて加熱手段にて加熱してミストノズルに供給するようにしてよい。
【００６１】
（４）上記実施形態では、加熱手段として液液熱交換器を例示したが、液液熱交換器に限らず、通路内を通流しながらバーナにて加熱される構成の熱交換器でもよく、又、電力ヒータにて加熱されるもの等種々の加熱手段を用いることができる。
【符号の説明】
【００６３】
２        ミストノズル
５        ミスト用温水供給路
４１      湯水供給路
４１ａ    水供給路
４１ｂ    給湯路
４３      フィルター
４４      排水路
４６      水供給路断続弁
４７      給湯路断続弁
５１      排水用通路断続弁
Ｋ        流路切換手段
Ｈ３      切換制御手段
Ｒ        指令手段
Ｖ１      ミスト用通路断続弁
【図１】
0005564076.tif 000002
【図２】
0005564076.tif 000003
【図３】
0005564076.tif 000004
【図４】
0005564076.tif 000005
【図５】
0005564076.tif 000006
【図６】
0005564076.tif 000007
【図７】
0005564076.tif 000008
【図８】
0005564076.tif 000009
【図９】
0005564076.tif 000010
【図１０】
0005564076.tif 000011